(57)【要約】【課題】複雑な形状の被検体の内部でも容易に挿入可能であるとともに必要に応じて被検体に対して確実に固定することが可能な挿入体及び内視鏡装置を提供する。【解決手段】挿入体１０は、挿入部１１と、その外周面に軸方向に沿って配設された二つの牽引部及びその先端及び基端で折り返して接続する二つの折返し部からなる略環状の操作ワイヤ１８と、折返し部又はその近傍で挿入部１１に固定され操作ワイヤ１８を進退可能に支持する先端側ガイド部材２１及び基端側ガイド部材２２と、挿入部１１の外周面に軸方向に進退可能に設けられ牽引部の何れかが固定された操作部材１７と、挿入部１１の外周面に軸方向に沿って配設され弾性的に撓み変形可能な支持部材１６と、支持部材１６の一端を外周面に固定する固定部材１９と、挿入部１１の外周面に軸方向に沿って進退可能に設けられ支持部材１６の他端が固定され牽引部の何れかが固定されたスライド部材２０を備える。【選択図】図２
2009233153.tif 000002
【特許請求の範囲】
【請求項１】
被検体の内部に挿入される細長で湾曲可能な挿入部と、
該挿入部の外周面に軸方向に沿って配設された二つの牽引部、及び、該牽引部の先端及び基端のそれぞれで折り返して該牽引部を互いに接続する二つの折返し部からなる略環状の操作ワイヤと、
該操作ワイヤの先端側及び基端側それぞれの折返し部または折返し部近傍で前記挿入部に固定され、前記操作ワイヤを進退可能に支持する先端側ガイド部材及び基端側ガイド部材と、
前記先端側ガイド部材と前記基端側ガイド部材との間で前記挿入部の外周面に軸方向に進退可能に設けられ、前記操作ワイヤの二つの前記牽引部のいずれかが固定された操作部材と、
該操作部材よりも先端側で、前記挿入部の外周面に軸方向に沿って配設され、弾性的に撓み変形可能な少なくとも一つの支持部材と、
該支持部材の一端を外周面に固定する固定部材と、
前記挿入部の外周面に、軸方向に沿って進退可能に設けられ、前記支持部材の他端が固定されるとともに、前記操作ワイヤの二つの前記牽引部のいずれかが固定されたスライド部材とを備えることを特徴とする挿入体。
【請求項２】
請求項１に記載の挿入体において、
前記スライド部材の基端側近傍で挿入部に固定され、前記操作ワイヤを進退可能に支持する第一の補助部材と、
前記操作部材の先端側近傍で挿入部に固定され、前記操作ワイヤを進退可能に支持する第二の補助部材とを備えることを特徴とする挿入体。
【請求項３】
請求項２に記載の挿入体において、
二つの前記折返し部、並びに、二つの前記牽引部の内、前記先端側ガイド部材と前記第一の補助部材との間で前記スライド部材に固定されていない一方、前記第一の補助部材と前記第二の補助部材との間のそれぞれ、及び、前記第二の補助部材と前記基端側ガイド部材との間で前記操作部材に固定されていない一方で、前記操作ワイヤに外装され、前記先端側ガイド部材、前記第一の補助部材、前記第二の補助部材、及び、前記基端側ガイド部材のそれぞれに固定されたガイドシースを備えることを特徴とする挿入体。
【請求項４】
請求項１から請求項３のいずれかに記載の挿入体において、
前記操作部材と前記スライド部材とは、同じ前記牽引部に固定されていることを特徴とする挿入体。
【請求項５】
請求項１から請求項４のいずれかに記載の挿入体において、
前記操作部材を前記挿入部に対して着脱可能に固定する固定手段を備えることを特徴とする挿入体。
【請求項６】
請求項１から請求項５のいずれかに記載の挿入体において、
前記挿入部が内部に他の挿入部材を挿入可能とする略管状に形成されたガイドチューブであることを特徴とする挿入体。
【請求項７】
請求項１から請求項５のいずれかに記載の挿入体が内視鏡挿入部であることを特徴とする内視鏡装置。
【発明の詳細な説明】
【技術分野】
【０００１】
本発明は、内視鏡装置における内視鏡挿入部や、該内視鏡挿入部を案内するガイドチューブなど、被検体の内部に挿入する挿入体、及び、該挿入体として内視鏡挿入部を有する内視鏡装置に関する。
【背景技術】
【０００２】
近年、医療分野や工業分野などの様々な分野においては、観察者が直接目視できない管路などの狭窄部を観察可能とすべく、被検体の内部に挿入可能な内視鏡挿入部を有する内視鏡装置が利用されている。そして、このような内視鏡装置においては、内視鏡挿入部の先端側に設けられた観察手段によって安定した姿勢で被検体の内部を観察可能とするために、内視鏡挿入部に固定手段が設けられたものが提案されている（例えば、特許文献１参照）。具体的には、内視鏡挿入部には、板バネ、または、第１リンクと第２リンクと両者を付勢して径方向に張り出させる付勢手段とで構成されたガイド部が配設されており、一端が内視鏡挿入部に固定され、他端が内視鏡挿入部の軸方向に進退可能とされている。そして、板バネでガイド部を構成する場合には、自身の付勢力によって、また、第１リンクと第２リンクと付勢手段とでガイド部を構成する場合には付勢手段の付勢力によってガイド部が径方向外側に張り出すことで、内視鏡挿入部を被検体に対して支持し、安定した姿勢で観察手段によって観察することが可能になるとされている。
【０００３】
また、固定手段を、上記の板バネを有する構成とした場合において、内視鏡挿入部に固定された一端部と軸方向に進退可能な他端部との間に設けられたネジ棒と、ネジ棒に接続されて基端側に配設された可撓性を有する可撓棒とを備え、該可撓棒を軸回りに回転させることで、ネジ棒を回転させて板バネの他端部を進退させるものが提案されている（例えば、特許文献２参照）。このような固定手段では、可撓棒を介してネジ棒を正反回転させることで、板バネの他端部が進退し、これにより該板バネを径方向に自在に張り出させることが可能であるとされている。
【０００４】
また、内視鏡挿入部などの挿入部材を挿入可能なチャンネルを有するガイドチューブにおいて、バルーンからなる固定手段が設けられたものが提案されている（例えば、特許文献３参照）。このようなガイドチューブでは、空気圧などによりバルーンを膨張させることで、被検体に対して支持されることとなり、チャンネルに挿通される挿入部材を安定した姿勢で挿入することが可能であるとされている。
【特許文献１】特開平９−２２９８６８号公報
【特許文献２】実公平３−５３１６９号公報
【特許文献３】米国特許第５９３８５８２号明細書
【発明の開示】
【発明が解決しようとする課題】
【０００５】
しかしながら、特許文献１の内視鏡挿入部に設けられた固定手段では、単に板バネ自身または付勢手段による付勢力で径方向外側に張り出しているのみであるので、被検体に対して有効に支持力を発揮させることができなかった。板バネ自身または付勢手段の弾性定数を大きくして付勢力を高めることも考えられるが、当該固定手段は常に張り出した状態であり、被検体の内部に挿入する際には、挿入抵抗が増大して挿入性が低下してしまう問題があった。
【０００６】
また、特許文献２の内視鏡挿入部に設けられた固定手段では、可撓棒の操作によりネジ棒を回転させることで板バネを径方向に進退させることが可能であり、ネジ棒に作用するトルクにより、板バネによる支持力を有効に発揮させることが可能であるものの、ネジ棒が配設された範囲で可撓性が低下してしまい、複雑に屈曲、湾曲した管路などの被検体では挿入性が低下してしまう。また、仮に所望の位置まで挿入できたとしても、挿入部が被検体に応じて湾曲することで可撓棒も湾曲し、これにより基端側からネジ棒にトルクを伝達させることができず、板バネを径方向外側に自在に進退させることができなくなってしまう。このため、板バネを径方向外側に張り出させて有効に支持力を発揮させてしまうことができず、あるいは、板バネの張り出す量を小さくして被検体に対して固定された状態を解除することができなくなってしまう問題があった。
【０００７】
また、特許文献３のガイドチューブに設けられた固定手段では、バルーンを利用していることで、収縮時においてはガイドチューブ自体の挿入性を保持しつつ、バルーンの膨張によってガイドチューブを支持することが可能であるものの、空気圧等による支持力の発揮には限界があった。
【０００８】
この発明は、上述した事情に鑑みてなされたものであって、複雑な形状の被検体の内部でも容易に挿入可能であるとともに、必要に応じて被検体に対して確実に固定することが可能な挿入体及び内視鏡装置を提供するものである。
【課題を解決するための手段】
【０００９】
上記課題を解決するために、この発明は以下の手段を提案している。
本発明は、被検体の内部に挿入される細長で湾曲可能な挿入部と、該挿入部の外周面に軸方向に沿って配設された二つの牽引部、及び、該牽引部の先端及び基端のそれぞれで折り返して該牽引部を互いに接続する二つの折返し部からなる略環状の操作ワイヤと、該操作ワイヤの先端側及び基端側それぞれの折返し部または折返し部近傍で前記挿入部に固定され、前記操作ワイヤを進退可能に支持する先端側ガイド部材及び基端側ガイド部材と、前記先端側ガイド部材と前記基端側ガイド部材との間で前記挿入部の外周面に軸方向に進退可能に設けられ、前記操作ワイヤの二つの前記牽引部のいずれかが固定された操作部材と、該操作部材よりも先端側で、前記挿入部の外周面に軸方向に沿って配設され、弾性的に撓み変形可能な少なくとも一つの支持部材と、該支持部材の一端を外周面に固定する固定部材と、前記挿入部の外周面に、軸方向に沿って進退可能に設けられ、前記支持部材の他端が固定されるとともに、前記操作ワイヤの二つの前記牽引部のいずれかが固定されたスライド部材とを備えることを特徴としている。
【００１０】
この発明に係る挿入体によれば、挿入部を被検体の内部で固定、解除する場合には、操作部材を挿入部の軸方向に沿って先端側に前進させ、あるいは、基端側に後退させる。すなわち、操作部材を挿入部の軸方向に沿って基端側に後退させた場合には、操作ワイヤは、操作部材に固定された牽引部において先端側の部分が基端側へ牽引されることとなり、操作部材の操作力が、操作ワイヤの牽引力として先端側へ伝達されることとなる。そして、先端側において同じ牽引部にスライド部材が固定されている場合には、スライド部材は、操作部材の後退に応じて作用する牽引力によって後退することとなる。また、操作部材と異なる牽引部にスライド部材が固定されている場合には、操作部材が固定されている牽引部が基端側に牽引されることで、先端側ガイド部材で支持されている先端側の折返し部を介して、スライド部材が固定されているもう一方の牽引部が先端側へ牽引されることとなり、スライド部材は、操作部材の後退に応じて作用する牽引力によって前進することとなる。
【００１１】
また、操作部材を挿入部の軸方向に沿って先端側に前進させた場合には、操作ワイヤは、操作部材に固定された牽引部において基端側の部分が先端側へ牽引されることとなる。これにより操作ワイヤは、基端側ガイド部材によって支持されつつ、基端側の折返し部を介して、操作部材に固定されていないもう一方の牽引部が基端側へ牽引されることとなり、操作部材の操作力が、操作ワイヤの牽引力として先端側へ伝達されることとなる。そして、先端側において同じ牽引部にスライド部材が固定されている場合には、操作部材及びスライド部材が固定されていない牽引部が基端側へ牽引されることで、先端側ガイド部材で支持されている先端側の折返し部を介して、スライド部材が固定されているもう一方の牽引部が先端側へ牽引されることとなり、スライド部材は、操作部材の前進に応じて作用する牽引力によって前進することとなる。また、操作部材と異なる牽引部にスライド部材が固定されている場合には、スライド部材が固定されている牽引部が基端側へ牽引されることで、スライド部材は操作部材の前進に応じて作用する牽引力によって後退することとなる。
【００１２】
以上のように、必要な操作力をもって操作部材を軸方向に進退させることで、環状の操作ワイヤにおける二つの牽引部のいずれかを操作力に応じた牽引力で基端側へ牽引することができ、当該牽引力によってスライド部材を軸方向に進退させることができる。このため、他端がスライド部材に固定された支持部材を、操作力に応じた力で径方向に進退させ、被検体に当接、押圧し、あるいは、離間させることができる。そして、挿入部の軸方向に配設される支持部材及び操作ワイヤは、それぞれ湾曲可能であるので、挿入部の挿入性を低下させることなく、好適に被検体の内部に挿入することが可能である。また、操作ワイヤは、先端側及び基端側のそれぞれで、先端側ガイド部材及び基端側ガイド部材によって軸方向に進退可能に挿入部に固定されており、軸方向全体にわたって挿入部に沿うように支持されているものではない。このため、挿入する被検体に応じて湾曲する際に、操作ワイヤが挿入部に拘束されて軸方向に張力が作用してしまうことで、支持部材が誤動作してしまうことを防止することができる。
【００１３】
また、上記の挿入体において、前記スライド部材の基端側近傍で挿入部に固定され、前記操作ワイヤを進退可能に支持する第一の補助部材と、前記操作部材の先端側近傍で挿入部に固定され、前記操作ワイヤを進退可能に支持する第二の補助部材とを備えることがより好ましいとされている。
【００１４】
この発明に係る挿入体によれば、牽引部がスライド部材に固定されている範囲においては、先端側ガイド部材と第一の補助部材とによって牽引部を挿入部の軸方向に略平行な状態とすることができる。同様に牽引部が操作部材に固定されている範囲においては、第二の補助部材と基端側ガイド部材とによって牽引部を挿入部の軸方向に略平行な状態とすることができる。このため、上記のとおり、操作ワイヤに対する挿入部の拘束を最小限として支持部材の誤動作を防止しつつ、操作ワイヤにおいて、操作部材に作用する操作力が伝達される範囲、及び、操作力が作用することに伴ってスライド部材に牽引力を作用させる範囲では、操作部材及びスライド部材の進退する軸方向に操作ワイヤの牽引部を略平行として操作力を効率良く伝達させることができる。
【００１５】
また、上記の挿入体において、二つの前記折返し部、並びに、二つの前記牽引部の内、前記先端側ガイド部材と前記第一の補助部材との間で前記スライド部材に固定されていない一方、第一の補助部材と第二の補助部材の間のそれぞれ、及び、前記第二の補助部材と基端側ガイド部材との間で前記操作部材に固定されていない一方で、前記操作ワイヤに外装され、前記先端側ガイド部材、前記第一の補助部材、前記第二の補助部材、及び、前記基端側ガイド部材のそれぞれに固定されたガイドシースを備えることがより好ましいとされている。
【００１６】
この発明に係る挿入体によれば、操作ワイヤは、操作部材及びスライド部材に固定されている範囲を除いて先端側ガイド部材、第一の補助部材、第二の補助部材、及び、基端側ガイド部材のそれぞれに固定されたガイドシースに外装されているので、外部から摩擦等の抵抗を受けることなく、操作部材の進退に伴ってガイドシースに案内されつつ好適に進退し、スライド部材に操作力を伝達させることができる。
【００１７】
また、上記の挿入体において、前記操作部材と前記スライド部材とは、同じ前記牽引部に固定されていることがより好ましいとされている。
【００１８】
この発明に係る挿入体によれば、操作部材とスライド部材とが二つの牽引部の内の同じ方に固定されていることで、操作部材の前進または後退に伴ってスライド部材も同様の方向に前進または後退させることができる。このため、操作者にとっては、基端側で自らが操作する操作部材の動きに伴う先端側のスライド部材及び支持部材の動きを直感的に把握しやすくなり、操作性を向上することができる。
【００１９】
また、上記の挿入体において、前記操作部材を前記挿入部に対して着脱可能に固定する固定手段を備えることがより好ましいとされている。
【００２０】
この発明に係る挿入体によれば、固定手段によって操作部材を固定することで、操作ワイヤを介してスライド部材の進退を規制することができ、これにより支持部材を径方向に張り出して所定の支持力で被検体に対して挿入部を支持した状態を維持させることができる。
【００２１】
また、上記の挿入体において、前記挿入部が内部に他の挿入部材を挿入可能とする略管状に形成されたガイドチューブであることがより好ましいとされている。
【００２２】
この発明に係る挿入体によれば、ガイドチューブとして好適に湾曲させて被検体の内部に挿入することができるとともに、操作部材を操作することで、必要に応じて支持部材を径方向外側へ張り出させて挿入部を固定することができ、固定した状態では内部に他の挿入部材を挿入して進退させることができる。
【００２３】
また、本発明の内視鏡装置は、上記の挿入体が内視鏡挿入部であることを特徴としている。
【００２４】
この発明に係る内視鏡装置によれば、内視鏡挿入部を好適に湾曲させて被検体の内部に挿入することができるとともに、操作部材を操作することで、必要に応じて支持部材を径方向外側へ張り出させて内視鏡挿入部を固定することができる。
【発明の効果】
【００２５】
本発明の挿入体及び内視鏡装置によれば、複雑な形状の被検体の内部でも挿入部を容易に挿入可能であるとともに、必要に応じて被検体に対して確実に固定することが可能である。
【発明を実施するための最良の形態】
【００２６】
本発明に係る実施形態について、図１から図６を参照して説明する。図１は、本実施形態の内視鏡システムの全体構成を示していて、被検体の内部に挿入して、所定の観察対象を観察するためのものである。内視鏡システム１は、被検体Ｓ内部に挿入される内視鏡挿入部３を有する内視鏡装置２と、同様に被検体Ｓの内部に挿入される挿入部１１を有する挿入体であるガイドチューブ１０とを備える。
【００２７】
図１に示すように、内視鏡装置２は、上記内視鏡挿入部３と、内視鏡挿入部３の基端に設けられた内視鏡操作部４と、内視鏡操作部４と接続された内視鏡本体部５とで構成されている。内視鏡挿入部３は、被検体Ｓの内部形状に応じて湾曲可能な可撓性を有する可撓管部３ａと、可撓管部３ａの先端に設けられ、内視鏡操作部４による操作で湾曲自在な湾曲部３ｂと、湾曲部３ｂの先端に設けられた硬質の先端部３ｃとを有する。内視鏡操作部４にはジョイスティック４ａが設けられており、該ジョイスティック４ａの操作により内視鏡挿入部３の湾曲部３ｂを四方向に自在に湾曲させることが可能である。先端部３ｃには、被検体Ｓを観察するための観察手段である図示しないＣＣＤが内蔵されている。また、内視鏡本体部５はディスプレイ５ａを有しており、ＣＣＤで取得された画像を表示することが可能となっている。
【００２８】
図１及び図２に示すように、ガイドチューブ１０は、上記挿入部１１と、挿入部１１の基端に設けられた操作部１２と、挿入部１１を挿入した被検体Ｓに対して固定する固定手段１５とを備える。挿入部１１は、全体として略管状であり、操作部１２と接続されて被検体Ｓの内部形状に応じて湾曲可能な可撓性を有する可撓管部１１ａと、可撓管部１１ａの先端に設けられ、操作部１２による操作で湾曲自在な湾曲部１１ｂとを有する。操作部１２には、湾曲ノブ１２ａが設けられていて、該湾曲ノブ１２ａの回転方向によって、挿入部１１の湾曲部１１ｂを四方向に自在に湾曲させることが可能である。また、操作部１２及び挿入部１１には、基端側から先端側まで連通するチャンネル１０ａが形成されている。チャンネル１０ａの基端側は操作部１２に開口しているとともに、先端側は挿入部１１の先端に開口している。そして、このチャンネル１０ａに基端側から内視鏡装置２の内視鏡挿入部３が挿通され、先端側から突出している。
【００２９】
図２から図４に示すように、固定手段１５は、挿入部１１の外周面に軸方向に延設されるとともに、周方向に複数配設された支持部材である板バネ１６と、挿入部１１の基端側に設けられ、板バネ１６による被検体Ｓに対する固定、解除の操作を行うための操作部材である操作リング１７と、操作リング１７による操作を板バネ１６に伝達させる操作ワイヤ１８とを有する。複数の板バネ１６は、本実施形態では、可撓管部１１ａの先端部分、すなわち湾曲部１１ｂの基端側で周方向に等間隔に四本設けられている。また、この複数の板バネ１６は、先端が挿入部１１に外嵌された固定部材である固定リング１９によって互いに連結されつつ挿入部１１の外周面に固定され、また、基端が挿入部１１に軸方向に進退可能に外装されたスライド部材であるスライドリング２０によって互いに連結されている。このため、スライドリング２０を軸方向に進退させて、固定リング１９とスライドリング２０との間隔を変化させることで、固定リング１９とスライドリング２０とに固定された板バネ１６は、弾性的に撓み変形して径方向外側に張り出すことが可能となっている。
【００３０】
また、操作リング１７は、板バネ１６が先端側に位置するように挿入部１１の基端側に設けられ、挿入部１１に軸方向に進退可能に外装された略環状の部材であり、操作ワイヤ１８を挿通させるための第一の貫通孔１７ａと第二の貫通孔１７ｂの二つの貫通孔が形成されている。また、操作リング１７には外周面から内周面まで連通するネジ孔が形成されており、固定手段である固定用ネジ１７ｃが螺合されている。そして、操作リング１７の内周面で固定用ネジ１７ｃの先端を挿入部１１の外周面に当接させた状態で固定用ネジ１７ｃを締め込むことで、挿入部１１に対して操作リング１７を軸方向に固定することが可能となっている。
【００３１】
また、操作ワイヤ１８は、挿入部１１の外周面に固定された先端側ガイド部材２１及び基端側ガイド部材２２、さらに、先端側ガイド部材２１と基端側ガイド部材２２との間で挿入部１１の外周面に固定された第一の補助部材２３、第二の補助部材２４、及び第三の補助部材２５によって進退可能に支持されている端部を有しない略環状のワイヤである。より詳しくは、操作ワイヤ１８は、挿入部１１の外周面に軸方向に沿ってそれぞれ配設された第一の牽引部１８ａ及び第二の牽引部１８ｂの二つの牽引部と、第一の牽引部１８ａ及び第二の牽引部１８ｂの先端及び基端のそれぞれで折り返して第一の牽引部１８ａ及び第二の牽引部１８ｂを互いに接続する先端側折返し部１８ｃ及び基端側折返し部１８ｄの二つの折返し部とで構成されている。そして、第一の牽引部１８ａ及び第二の牽引部１８ｂは、それぞれ先端側折返し部１８ｃ近傍となる先端部分において、先端側ガイド部材２１に形成された貫通孔２１ａ、２１ｂにそれぞれ挿通され進退可能に支持されている。同様に、基端側折返し部１８ｄ近傍となる基端部分において、基端側ガイド部材２２に形成された貫通孔２２ａ、２２ｂに挿通され進退可能に支持されている。
【００３２】
また、第一の補助部材２３は、スライドリング２０の可動範囲よりも基端側となる近傍の位置に設けられており、貫通孔２３ａ、２３ｂが形成されている。さらに、第三の補助部材２５は、スライドリング２０の可動範囲よりも先端側となる近傍の位置に設けられており、貫通孔２５ａ、２５ｂが形成されている。また、第二の補助部材２４は、操作リング１７の可動範囲よりも先端側となる近傍の位置に設けられており、貫通孔２４ａ、２４ｂが形成されている。そして、操作ワイヤ１８の第一の牽引部１８ａ及び第二の牽引部１８ｂは、それぞれ第一の補助部材２３の貫通孔２３ａ、２３ｂ、第二の補助部材２４の貫通孔２４ａ、２４ｂ、及び、第三の補助部材２５の貫通孔２５ａ、２５ｂにもそれぞれ挿通され、進退可能に支持されている。
【００３３】
また、操作ワイヤ１８において、第二の牽引部１８ｂ、先端側折返し部１８ｃ及び基端側折返し部１８ｄ、並びに、第一の牽引部１８ａにおいて、操作リング１７及びスライドリング２０が設けられた範囲以外となる先端側ガイド部材２１から第三の補助部材２５まで、及び、第一の補助部材２３から第二の補助部材２４までには、可撓性を有するガイドシースとなるコイルシース２６が外装されている。コイルシース２６は、先端側ガイド部材２１の貫通孔２１ａ、２１ｂ、基端側ガイド部材２２の貫通孔２２ａ、２２ｂ、第一の補助部材２３の貫通孔２３ａ、２３ｂ、第二の補助部材２４の貫通孔２４ａ、２４ｂ、及び、第三の補助部材２５の貫通孔２５ａ、２５ｂにそれぞれ挿入され固定されていて、内部の操作ワイヤ１８を進退可能としている。また、コイルシース２６は、操作リング１７の第二の貫通孔１７ｂに隙間を有して挿通されていて、コイルシース２６に対して操作リング１７を進退可能としている。
【００３４】
一方、第一の牽引部１８ａにおいて、操作リング１７が設けられた第二の補助部材２４と基端側ガイド部材２２との間にはコイルシース２６は設けられておらず、操作ワイヤ１８は露出している。そして、操作ワイヤ１８の第一の牽引部１８ａは、操作リング１７の第一の貫通孔１７ａに露出した状態で挿通され、先端面１７ｄ及び基端面１７ｅにおいて操作リング１７に溶接して固定されている。また、操作ワイや１８の第一の牽引部１８ａにおいて、スライドリング２０が設けられた第三の補助部材２５と第一の補助部材２３との間にもコイルシース２６は設けられておらず露出していて、スライドリング２０の外周面に溶接して固定されている。
【００３５】
次に、この実施形態の内視鏡システム１及びガイドチューブ１０の作用について、図５に示すように、被検体Ｓの内部に内視鏡挿入部３を挿入して内部の通路Ｓ１を観察する場合について説明する。図５に示すように、この実施形態の内視鏡システム１では、まず、チャンネル１０ａに内視鏡装置２の内視鏡挿入部３を挿入したガイドチューブ１０を被検体Ｓの入口Ｓ２から通路Ｓ１に挿入していく。なお、内視鏡装置２の内視鏡挿入部３については、ガイドチューブ１０をある程度被検体Ｓの内部に挿入した後にチャンネル１０ａに挿入するものとしても良い。ここで、ガイドチューブ１０の挿入部１１の外周面には、固定手段１５として板バネ１６及び操作ワイヤ１８が軸方向に配設されているが、これらはそれぞれ湾曲可能な部材で構成されている。また、板バネ１６を固定する固定リング１９及びスライドリング２０、並びに、操作ワイヤ１８を支持する先端側ガイド部材２１、基端側ガイド部材２２、第一の補助部材２３、第二の補助部材２４、及び、第三の補助部材２５も、軸方向の一部に設けられているのみである。このため、ガイドチューブ１０では、固定手段１５によって挿入部１１の挿入性が低下してしまうことなく、好適に被検体Ｓの内部に挿入することが可能である。そして、内視鏡装置２の内視鏡本体部５のディスプレイ５ａに表示される被検体Ｓ内部の画像を確認しながら、ガイドチューブ１０及びチャンネル１０ａに挿入された内視鏡挿入部３をさらに押し込み挿入していく。そして、所望の位置まで挿入したら、次に、ガイドチューブ１０において、固定手段１５によって挿入部１１の固定を行う。
【００３６】
すなわち、図２から図４に示すように、固定手段１５において、操作リング１７を把持して操作力を与えて軸方向先端側へ前進させる。これにより、環状の操作ワイヤ１８の第一の牽引部１８ａの内、基端面１７ｅに固定された基端側の部分が操作リング１７によって先端側へ牽引されることとなる。ここで、操作ワイヤ１８は、基端面１７ｅに固定された位置から基端側で基端側折返し部１８ｄで折り返され、第二の牽引部１８ｂとして先端側に向かって配設している。これにより操作ワイヤ１８は、基端側ガイド部材２２によって支持されつつ、基端側の基端側折返し部１８ｄを介して、操作リング１７に固定されていないもう一方の第二の牽引部１８ｂが基端側へ牽引されることとなり、操作リング１７に与えられた操作力が、操作ワイヤ１８の牽引力として先端側へ伝達されることとなる。そして、基端側へ牽引される第二の牽引部１８ｂは、先端側で先端側折返し部１８ｃで折り返されて第一の牽引部１８ａとして基端側に向かって配設しスライドリング２０に固定されている。このため、先端側ガイド部材２２で支持されている先端側の先端側折返し部１８ｃを介して、スライドリング２０が固定されている第一の牽引部１８ａが先端側へ牽引されることとなり、スライドリング２０は、操作リング１７の前進に応じて作用する牽引力によって固定リング１９との間隔を狭めるように前進することとなる。
【００３７】
このため、固定リング１９とスライドリング２０との間に固定された各板バネ１６は、弾性的に撓み変形して径方向外側へ張り出すこととなる。そして、図５及び図６に示すように、張り出した板バネ１６が被検体Ｓにおいて壁面Ｓ１ａを押圧することで、挿入部１１を被検体Ｓに対して固定した状態とすることができる。この際、操作リング１７に操作者から伝達される操作力は、可撓性を有して自在に湾曲可能な操作ワイヤ１８を介してスライドリング２０に伝達され、板バネ１６の径方向外側への押圧力として作用する。このため、複雑に屈曲あるいは湾曲した被検体Ｓの内部に挿入したとしても、操作者の操作力を操作ワイヤ１８を介して板バネ１６によって被検体Ｓに固定させる力として確実に反映させることができる。また、この状態で、操作リング１７において、固定用ネジ１７ｃを締め付けることで、挿入部１１に対して操作リング１７を軸方向に固定することができる。このため、操作ワイヤ１８を介してスライドリング２０の進退を規制することができ、これにより板バネ１６を径方向に張り出して所定の支持力で被検体Ｓに対して挿入部１１を支持した状態を維持させることができる。
【００３８】
そして、この状態で、内視鏡装置２の内視鏡操作部４を操作することで内視鏡挿入部３の湾曲部３ｂを湾曲させ、あるいは、ガイドチューブ１０の操作部１２を操作することで湾曲部１１ｂを湾曲させることで、さらに、ガイドチューブ１０に対して内視鏡挿入部３を軸方向に進退させることで、内視鏡挿入部３の先端部３ｃの位置及び向きを自在に変化させて被検体Ｓの内部を好適に観察することができる。この際、ガイドチューブ１０の挿入部１１が固定手段１５によって被検体Ｓに対して確実に固定された状態であるので、安定した姿勢で内視鏡装置２によって被検体Ｓの内部を観察することができる。
【００３９】
また、内視鏡装置２による被検体Ｓの観察が終了したら、ガイドチューブ１０において、固定手段１５による固定を解除する。具体的には、固定手段１５において、固定用ネジ１７ｃを緩めた後に、操作リング１７を把持して操作力を与えて軸方向基端側へ後退させる。これにより、環状の操作ワイヤ１８の第一の牽引部１８ａの内、先端面１７ｄに固定されて先端側へ配設された先端側の部分が操作リング１７によって基端側へ牽引されることとなる。これにより操作リング１７に与えられた操作力が操作ワイヤ１８の牽引力として先端側へ伝達されることとなる。そして、基端側へ牽引される第一の牽引部１８ａは、先端側でスライドリング２０に固定されている。このため、スライドリング２０は、操作リング１７の後退に応じて作用する牽引力によって固定リング１９との間隔を広げるように後退することとなる。
【００４０】
このため、固定リング１９とスライドリング２０との間に固定された各板バネ１６は、径方向に張り出す量が小さくなり、被検体Ｓの壁面Ｓ１ａから離間することとなり、固定手段１５による固定が解除されることとなる。この際、板バネ１６は、自らの復元力のみならず、操作リング１７に作用した操作力に応じた牽引力がスライドリング２０に作用することによって張り出す量を小さくし、被検体Ｓの壁面Ｓ１ａから離間することとなる。このため、固定した状態で板バネ１６が被検体Ｓの壁面Ｓ１ａに付着し、あるいは凹凸などに係合されてしまっていたとしても、強制的に離間させることができ、挿入したガイドチューブ１０が引き抜き不能となってしまうことを防止することができる。
【００４１】
以上のように、本実施形態の内視鏡システム１におけるガイドチューブ１０では、第一の牽引部１８ａ及び第二の牽引部１８ｂ並びに先端側折返し部１８ｃ及び基端側折返し部１８ｄからなる環状の操作ワイヤ１８と、操作リング１７と、スライドリング２０とを備えることで、挿入部１１を自在に湾曲させて複雑な形状の被検体Ｓの内部でも容易に挿入可能であるとともに、挿入した状態で必要に応じて被検体Ｓに対して確実に固定することが可能である。そして、チャンネル１０ａに挿通させた内視鏡装置２の内視鏡挿入部３によって被検体Ｓを安定した姿勢で好適に観察することができる。
【００４２】
ここで、本実施形態のガイドチューブ１０の固定手段１５においては、操作ワイヤ１８は、先端側で、先端側ガイド部材２１、第一の補助部材２３及び第三の補助部材２５、基端側ガイド部材によって、また、基端端側で基端側ガイド部材２２及び第二の補助部材２４によって、それぞれ軸方向に進退可能に挿入部１１に対して支持されており、軸方向全体にわたって挿入部１１に沿うように支持されているものではない。このため、挿入する被検体Ｓに応じて湾曲する際に、操作ワイヤ１８が挿入部１１に拘束されて軸方向に張力が作用してしまうことで、板バネ１６が誤動作して径方向への張り出し量が変化し、不用意に固定し、あるいは、固定が解除されてしまうことを防止することができる。
【００４３】
なお、操作ワイヤ１８としては、上記のとおり先端側折返し部１８ｃ及び基端側折返し部１８ｄの近傍で、または、先端側折返し部１８ｃ及び基端側折返し部１８ｄで先端側ガイド部材２１及び基端側ガイド部材２２で進退可能に支持されていれば良い。しかし、第一の補助部材２３及び第二の補助部材２４でも進退可能に支持することによって、操作ワイヤ１８においてスライドリング２０に固定されている範囲及び操作リング１７に固定される範囲を挿入部１１の軸方向に略平行な状態とすることができる。このため、操作ワイヤ１８に対する挿入部１１の拘束を最小限として板バネ１６の誤動作を防止しつつ、操作ワイヤ１８において、操作リング１７に作用する操作力が伝達される範囲、及び、操作力が作用することに伴ってスライドリング２０に牽引力を作用させる範囲では、操作リング１７及びスライドリング２０の進退する軸方向に操作ワイヤ１８を略平行として操作力を効率良く伝達させることができる。さらに、スライドリング２０の可動範囲の先端側近傍の位置で第三の補助部材２５によっても支持させることで、スライドリング２０に牽引力をより効率良く伝達可能としつつ、板バネ１６と操作ワイヤ１８との干渉をより確実に防止することができる。
【００４４】
また、操作ワイヤ１８は、上記のとおり、操作リング１７及びスライドリング２０に固定されている範囲を除いて先端側ガイド部材２１、第三の補助部材２５、第一の補助部材２３、第二の補助部材２４、及び、基端側ガイド部材２２のそれぞれに固定されたコイルシース２６に外装されている。このため、操作ワイヤ１８は、外部から摩擦等の抵抗を受けることなく、操作リング１７の進退に伴ってガイドシース２６に案内されつつ好適に進退し、スライドリング２０に操作力を伝達させることができる。
【００４５】
また、本実施形態では、操作リング１７とスライドリング２０とは、二つの牽引部の内の同じ第一の牽引部１８ａに固定されていることで、操作リング１７の前進または後退に伴ってスライドリング２０も同様の方向に前進または後退させることができる。このため、操作者にとっては、基端側で自らが操作する操作リング１７の動きに伴う先端側のスライドリング２０及び板バネ１６の動きを直感的に把握しやすくなり、操作性を向上することができる。
【００４６】
また、本実施形態では、内視鏡システム１として、ガイドチューブ１０のチャンネル１０ａに内視鏡装置２の内視鏡挿入部３を挿入して使用するものとしたが、これに限るものでは無い。ガイドチューブ１０としては、チャンネル１０ａを利用して処置具など様々な挿入部材を被検体Ｓの内部に挿入するためのガイドとして利用することが可能である。
【００４７】
また、本実施形態では、固定手段１５を有する挿入体としてガイドチューブ１０を例に挙げたが、これに限るものではない。図７は、本発明の他の実施形態を示し、内視鏡装置を示している。図７に示すように、この実施形態の内視鏡装置３０は、基本的な構成は上記実施形態の内視鏡装置２と同様であるが、挿入体としての内視鏡挿入部３に固定手段１５が設けられている点で異なっている。すなわち、内視鏡挿入部３において、可撓管部３ａの先端側に板バネ１６が固定リング１９及びスライドリング２０によって固定されているとともに、可撓管部３ａの基端側に操作リング１７が進退可能に設けられている。そして、操作リング１７とスライドリング２０とは、先端側ガイド部材２１、基端側ガイド部材２２、第一の補助部材２３、第二の補助部材２４及び第三の補助部材２５によって支持された操作ワイヤ１８によって接続されている。このため、このような内視鏡装置３０では、内視鏡挿入部３を挿入した状態で必要に応じて固定手段１５の操作リング１７を操作することによって、板バネ１６を径方向に進退させ、被検体Ｓに対して内視鏡挿入部３を固定し、あるいは、固定を解除することができる。
【００４８】
以上、本発明の実施形態について図面を参照して詳述したが、具体的な構成はこの実施形態に限られるものではなく、本発明の要旨を逸脱しない範囲の設計変更等も含まれる。
【００４９】
なお、上記各実施形態では、挿入体において先端側の範囲に固定手段１５の板バネ１６が設けられているものとしたが、これに限るものではなく、板バネ１６の位置は使用目的などに応じて適時変更可能なものである。また、板バネ１６、固定リング１９及びスライドリング２０の組を軸方向に複数組設け、各組のスライドリング２０が操作ワイヤ１８と固定されているものとしても良い。このようにすることによって一つの操作によって軸方向の複数箇所で被検体Ｓに挿入部を固定することができる。また、上記各実施形態では、支持部材として板バネ１６を例に挙げたが、これに限るものでは無く、棒状あるいは線状のバネ材や、板状の弾性を有する樹脂など、スライドリング２０の進退に伴って弾性的に撓み変形して径方向に張り出す量を変化させることが可能な部材であれば良い。また、上記実施形態では、操作ワイヤは、挿入部に固定された先端側ガイド部材及び基端側ガイド部材によって進退可能に支持されるものとしたが、必ずしも挿入部と別部材である必要な無く、挿入部の一部、例えば先端部に操作ワイヤを案内するための溝や孔が形成されているものとしても良い。あるいは、基端側においては挿入部に接続された操作部に案内するための溝や孔が形成されているものとしても良い。
【図面の簡単な説明】
【００５０】
【図１】本発明の実施形態の内視鏡システムを示す全体構成図である。
【図２】本発明の実施形態のガイドチューブの詳細図である。
【図３】本発明の実施形態のガイドチューブにおいて、基端側の詳細を示す断面図である。
【図４】本発明の実施形態のガイドチューブにおいて、先端側の詳細を示す断面図である。
【図５】本発明の実施形態の内視鏡システムによって被検体の観察する際の説明図である。
【図６】本発明の実施形態の内視鏡システムによって被検体の観察する際の説明図である。
【図７】本発明の他の実施形態の内視鏡装置を示す全体構成図である。
【符号の説明】
【００５１】
２、３０  内視鏡装置
３  内視鏡挿入部（挿入体）
１０  ガイドチューブ（挿入体）
１６  板バネ（支持部材）
１７  操作リング（操作部材）
１８  操作ワイヤ
１８ａ  第一の牽引部（牽引部）
１８ｂ  第二の牽引部（牽引部）
１８ｃ  先端側折返し部（折返し部）
１８ｄ  基端側折返し部（折返し部）
１９  固定リング（固定部材）
２０  スライドリング（スライド部材）
２１  先端側ガイド部材
２２  基端側ガイド部材
２３  第一の補助部材
２４  第二の補助部材
２６  コイルシース（ガイドシース）
【図１】
2009233153.tif 000003
【図２】
2009233153.tif 000004
【図３】
2009233153.tif 000005
【図４】
2009233153.tif 000006
【図５】
2009233153.tif 000007
【図６】
2009233153.tif 000008
【図７】
2009233153.tif 000009